(57)【要約】【課題】  摺動自在に設けた刈刃の往復運動にともなって発生する衝撃音や振動を対向刈刃の構成にして緩和するが、該対向刈刃の境界部に堆積物が発生して切断性能を阻害する課題があり、これを解消する刈刃装置の提供である。【解決手段】  ２分割した可動刃が摺動する対向刈刃の上方に分草杆を配置した刈刃装置において、対向刈刃１の境界部２に仕切り板３を設け、その下端５を受け刃６の上面７に近設するようにし、その取付けは該仕切り板３を分草杆８から垂下させるとともに可撓部材で形成して、境界部２に作用する負荷に対し適度に撓む構成にした刈刃装置である。【選択図】      図１
2006109724.tif 000002
【特許請求の範囲】
【請求項１】
刈刃を形成する受け刃台を刈取り全幅に架設し、２分割した可動刃が対向する方向に摺動する対向刈刃にするとともに、その上方を横断する分草杆を複数配置した刈刃装置において、対向刈刃（１）の境界部（２）に仕切り板（３）を設け
、該仕切り板（３）の下端（５）を受け刃（６）の上面（７）に近設させたことを特徴とするコンバインの刈刃装置。
【請求項２】
仕切り板（３）を刈刃の上方を横断する分草杆（８）から垂下させて設けたことを特徴とする請求項１に記載したコンバインの刈刃装置。
【請求項３】
仕切り板（３）を可撓部材で形成したことを特徴とする請求項１、又は請求項２に記載したコンバインの刈刃装置。
【発明の詳細な説明】
【技術分野】
【０００１】
バリカン型の切断装置を構成する受け刃上に２分割した可動刃を装備した対向刈刃にし、往復運動にともなう振動の発生を防止したコンバインの刈刃装置に関するものである。
【背景技術】
【０００２】
従来受け刃台の上面に２分割した可動刃を対向させ、往復運動による刈刃振動を防止した切断装置が知られているが、可動刃が対向する境界部で切断性能が低下したり、スターホイルの非作用側が隣接する刈刃の中央付近で刈取り穀稈の稈元側が通過しない空間が刈刃上に拡大し、藁屑や泥土が堆積して切断する穀稈の侵入を妨げ、刈り高さが不揃いになったり扱残しを生じる原因になる。これを解消する手段に前記境界部における可動刃の後方側をＶ字形の形状にし、対向運動によって堆積物を後方に押出す構成にしたものがある（例えば特許文献１参照。）
。又、可動刃が対向する刈刃先端に向けて分草杆から稈ガイドを垂下させ、切断直前の穀稈を左右に分草するものが開示されている（例えば特許文献２参照。）。しかしながら、前者は可動刃が出会う刈刃の後端部に限定して排出作用が行われるものであって、後者は泥土や藁屑が分草杆と刈刃上面の隙間に挟まる堆積物には除去作用が及ばない構成である。
【０００３】
【特許文献１】実開平０２−１４３３１号公報（第１−３頁、第１、２図）
【特許文献２】特開平０２−０７６０６号公報（第５頁、第４、５図）
【発明の開示】
【発明が解決しようとする課題】
【０００４】
分割した可動刃の対向運動にともなって境界部に異物が噛込み、異状音の発生や刈刃の損傷を招くとともに刈刃上に滞留した堆積物が固形化して切断する穀稈の侵入を妨げ、切断性能が低下する課題がある。
【課題を解決するための手段】
【０００５】
このような課題を解消するために、対向刈刃と分草杆の間に生じた隙間を仕切り板で塞ぎ堆積物の挟み込みを防止し、可動刃が出会う境界部の刈刃衝撃を緩和する刈刃装置にしたものである。
【０００６】
刈刃を形成する受け刃台を刈取り全幅に架設し、２分割した可動刃が対向する方向に摺動する対向刈刃にするとともに、その上方を横断する分草杆を複数配置した刈刃装置において、対向刈刃の境界部に仕切り板を設け、該仕切り板の下端を受け刃の上面に近設させ、前記対向刈刃の中央付近で刈刃上の空間を左右に分断し堆積物の押し込みを防ぐ構成にした。
【０００７】
仕切り板を刈刃の上方を横断する分草杆から垂下させて設けた簡便な遮蔽構造にし、堆積物の挟み込みを防止する構成にした。
【０００８】
仕切り板を可撓部材で形成し、境界部に作用する負荷の変動に応じて該可撓部材が適度に撓む構成にした。
【発明の効果】
【０００９】
スターホイル３１ｂの非作用側が隣接する刈刃中央部と対向刈刃１の境界部２が同じ配置になり、搬送穀稈の稈元が刈刃上を通過しないために堆積物が排出されず、中分草杆８ｂと対向刈刃１の隙間Ｈに泥土や藁屑が挟まり対向運動によって固形化し、該中分草杆８ｂの近傍に誘導された穀稈の侵入が妨害されて刈跡が不揃いになるが、本発明はこの隙間Ｈに可撓部材で形成した仕切り板３を設けてこれを塞ぎ、前記する堆積物の挟み込みを防止して排出と移動を促進させ、刈刃部に侵入する穀稈の切断を円滑に行い刈跡を均一にするとともに搬送穀稈の稈元揃いを安定させたものである。
【００１０】
又、仕切り板３を可撓部材で形成したので可動刃１６が出合う境界部２で小石や異物を噛込んだ場合でも、前記仕切り板３に作用する負荷の変動に応じて可撓部１３が適度に撓む特性によって、常に仕切り板３が垂直位置に復元されて遮断した効果が向上し、対向刈刃１の破損や変形を防止した刈刃装置になった。しかも、刈取りフレーム２５を構成する中分草杆８ｂの下方に溶着した刈刃ガイド１０の後方に仕切り板３が設けられ、地中に刈刃が潜り込んだり、畦畔に衝突しても強固な前記刈刃ガイド１０に保護され損傷が防止されるとともに、可撓部材を刈刃ガイド１０と押え板１２で挟着する該仕切り板３の構成にしたことによって部品交換や上下調節等が容易に行える特性がある。
【発明を実施するための最良の形態】
【００１１】
対向刈刃の振動抑制を効果的に引き出せる対向刈刃１の構成にし、出合い隙間の切断障害を解消した刈刃装置にしたものであって、可撓部材で形成した仕切り板３で中分草杆８ｂと対向刈刃１との間に生じた隙間Ｈを塞ぐ簡便な遮蔽構造により、分割した可動刃１６の上方に滞留する堆積物を排出して切断性能を維持し
、稈元の揃いが安定する切断性能を実現させた刈刃装置の形態である。上記する構造の詳細を以下の実施例で説明する。
【実施例】
【００１２】
本発明によるバリカン型の刈刃を形成する受け刃台を刈取部の全幅に架設し、２分割した可動刃が対向する方向に摺動する刈刃構造にするとともに、その上方を横断する分草杆を複数配置した刈刃装置において、可動刃１６が対向する矢印イの方向に摺動する刈刃装置を装備したコンバインの構造概要を図７に示す４条刈りコンバインの要部側面図と、図６に示す刈取部の全体平面図で説明すると、左右一対のクローラ走行装置２０に支持された機台２１上に脱穀部Ｂが搭載され
、前方に立設する据付け台２２で刈取入力ケース２３を回動自在に支持し、これを中心に刈取部Ｃが昇降する回動支点Ｐにして刈高さ調節を行ないながら収穫作業をするものである。又、刈取りフレーム２５を構成する分草杆８の先端には、刈幅に応じた分草板２６を複数固着して倒伏穀稈等を浮揚させ、連設する引起装置２７に内装したタイン２８の引起し作用で穀稈を起立させ、稈元側を掻込ベルト３０で狭持しながらスターホイル３１に誘導し、後方に掻き込みながら前記可動刃１６の対向運動で穀稈を切断する刈刃装置を装備したものである。
【００１３】
切断後の穀稈搬送経路は、一対のスターホイル３１を噛合させた一側にスプロケット３２を固着して、後方の合流部３３に臨ませた転輪３５に左右の下部搬送チェン３８を巻回させ、これに出退自在の狭扼ガイド４０を対設して下部搬送路４１ａが形成され、平面視でハの字型に対向する右側の下部搬送路４１ｂも同様の搬送構造にした４条刈りコンバインの下部搬送装置にしてある。このように切断した穀稈を双方の下部搬送路４１ａ、４１ｂで狭扼しながら後方の前記合流部３３に向けて搬送し、継設する揚上搬送装置４２に受継がせ、脱穀部Ｂに張設したフィードチェン４３の始端側に受継ぎ、脱粒処理を行うようにしたコンバインの刈取り搬送の形態である。
【００１４】
このような刈取部Ｃの下方に横設した対向刈刃１は、回動支点Ｐを形成する刈取り入力ケース２３から斜降する２軸ケース４４と、その先端に連結した刈取り駆動ケース４５によってエの字形をしたケース構造にし、該刈取り駆動ケース４５の両端から分草杆８ａを前方に延設させ、これを連結する支持パイプ４６を設けて４条刈りを行う穀稈の侵入通路４７を複数本の中分草杆８ｂで形成し、その基部側を該支持パイプ４６に固着させ前記分草杆８と同様に前方に延出したものである。
【００１５】
又、各分草杆８ａ、８ｂの下方に設けた取付け部にこれを横断する受け刃台４が水平に螺着され、併設した受け刃６の上面７に２分割した可動刃１６を複数のナイフクリップ９で摺動自在に装着した刈取りフレーム２５の構造にするとともに、刈取り駆動ケース４５の左右から出力したリンク機構５１によって、前記可動刃１６を対向運動させる刈刃駆動装置にしてある。
【００１６】
図１は対向刈刃の境界部を示す平面図であって、図２の仕切り板の側面図と図３の要部を断面した正面図を併用し、２組のスターホイルが噛合する掻込み装置を備えた４条刈りの刈刃構造を説明すると、対向刈刃１の中央付近でスターホイル３１ｂの非作用側が隣接（図４参照）するようになり、該対向刈刃１の上方に搬送穀稈が通過しない空間が生じ、この間を横断する中分草杆８ｂを設けた上下の配置になり。可動刃１６が対向する境界部２と該中分草杆８ｂと、隙間Ｈが対向刈刃１の中央付近で一致する刈刃構造にしたものである。
【００１７】
このようなスターホイル３１ｂは矢印ロの方向に回転し、中分草杆８ｂを挟んだ左右の空間に藁屑や泥土を取り合い対向刈刃１の中央付近で堆積物が停滞し、これを可動刃１６の対向運動で境界部２に向けて押し込み、堆積物を固形化させたり前記隙間Ｈに藁屑等を挟み込み移動と排出が妨げられ、後続する刈取り穀稈の侵入が充分に行われず切断性能が低下するようになる。
【００１８】
非作用側が隣接するスターホイル３１ｂによって対向刈刃１上に生じた空間に対し、本発明の要旨である仕切り板３を用いて隙間Ｈを遮断した構造について説明すると、従来から可動刃１６の前方に設置してある刈刃ガイド１０を分草杆８から垂設し、受け刃６の先端から切り上げた形状にして後方に連設したガイド側面１１を対向刈刃１の上方まで延伸し、該ガイド側面１１に可撓部材で形成した仕切り板３を沿わせるために、中分草杆８ｂの上方に溶着した取付け板１７に間座１８を介在させて取付け高さの調節を行い、その外側から押え板１２を接当させて仕切り板３を固定ボルト５０とナット５６で挟着する取付け構造にしてある。
【００１９】
図４は分草杆に装着した刈刃の後面図であって、図５の斜視図と図２の側面図を併用して仕切り板の調節構造を説明すると、長穴１４を穿った押え板１２にバケットボルト５３で仕切り板３を先に装着し、該押え板１２の端面１５を受け刃６の上面７から離反する位置にして該仕切り板３の下端が露出する可撓部１３を形成させ、前述するように仕切り板３の内面とガイド側面１１を一致させる間座１８を介在させ、中分草杆８ｂに溶着した取付け板１７に固定ボルト５０で装着し、前記ガイド側面１１と押え板１２で仕切り板３を挟着する構成にしたものである。
【００２０】
仕切り板３の下端５が受け刃６の上面７に接近した遮蔽構造にするために、刈高さ調節を行った場合の該仕切り板３の調節について説明すると、図４は対向刈刃１の低い設定を示してあり、これを高い位置に変更するには、分草杆８の下方に吊設した受け刃台４との間に挟持させた調節パイプ１９を該受け刃台４の下方側に変更する調節ボルト５５の脱着操作を行い、図示する位置から前記調節パイプ１９の高さ分だけ刈刃位置が高い方に変化するものである。
【００２１】
この対向刈刃１の位置変更に追随させて仕切り板３の下端５を受け刃６の上面に近設させる上下調節は、先ず固定ボルト５０のナット５６を弛め押え板１２の長穴１４を活用して一体化した仕切り板３の移動を行うものであって、可撓部１３の面積を保持したままガイド側面１１に沿った調節であり、位置変更をした受け刃６の上面７に前記仕切り板３の下端５が接近した位置に前記ナット５６で螺着する構成にしてある。
【００２２】
以上説明したように可撓部材で形成した仕切り板３を受け刃６の上面７と中分草杆８ｂとの隙間Ｈに装着し、堆積物の挟み込みを防ぐ遮蔽構造にしたので、堆積物が排出されずに該隙間Ｈに挟まり対向運動によって固形化し、侵入する穀稈を妨げて刈跡を不揃いにする藁屑や泥土の排出が促進され、刈跡を均一にするものである。又、可動刃１６が境界部２で小石や異物を噛込んでも可撓部材で形成した前記仕切り板３には柔軟性があり、作用する負荷や衝撃の大きさに応じて適度に撓む機能があり、対向刈刃１の破損や変形が防止できる構造にしてある。しかも、中分草杆８ｂの下方に溶着された刈刃ガイド１０の直後に仕切り板３が設けられ、刈刃が土中に潜り込んだり畦畔に衝突しても強固な前記刈刃ガイド１０に保護され損傷が防止されるとともに、前記仕切り板３が挟着された取付け構造であって部品交換や上下調節等が容易に行える特性がある。
【産業上の利用可能性】
【００２３】
対向刈刃を刈取りフレームの下側に装備して切断性能を向上させる刈取り装置に適応できる。
【図面の簡単な説明】
【００２４】
【図１】対向刈刃の境界部を示す平面図である。
【図２】境界部に設けた仕切り板の側面図である。
【図３】仕切り板を断面した拡大正面図である。
【図４】分草杆に装着した刈刃の後面図である。
【図５】仕切り板を装着した斜視図である。
【図６】刈取部の全体平面図である。
【図７】コンバインの要部側面図である。
【符号の説明】
【００２５】
Ｈ・・隙間
１・・対向刈刃          ２・・境界部            ３・・仕切り板
４・・受け刃台          ５・・下端              ６・・受け刃
７・・上面              ８・・分草杆          １０・・刈取ガイド
１１・・ガイド側面      １２・・押え板          １３・・可撓部
１５・・端面            １６・・可動刃          １７・・取付け板
１８・・間座            １９・・調節パイプ      ３１・・スターホイル
４７・・侵入通路        ５０・・固定ボルト      ５３・・バケットボルト
５５・・調節ボルト
【図１】
2006109724.tif 000003
【図２】
2006109724.tif 000004
【図３】
2006109724.tif 000005
【図４】
2006109724.tif 000006
【図５】
2006109724.tif 000007
【図６】
2006109724.tif 000008
【図７】
2006109724.tif 000009